【手続補正書】
【提出日】平成22年5月14日(2010.5.14)
【手続補正１】
【補正対象書類名】特許請求の範囲
【補正対象項目名】請求項１
【補正方法】変更
【補正の内容】
【請求項１】
ネットワークを介してユーザ端末装置及び広告主端末装置に接続され、該ユーザ端末装置から送信されてきた検索ワードに応じて、該検索ワードに関連する広告コンテンツを加えた検索結果ページを生成する検索結果ページ生成手段と、該検索結果ページを前記ユーザ端末装置に送信する検索結果提供手段とを備えた広告サーバ装置であって、
前記広告主端末装置から送信されてきた検索ワードを受け付ける検索ワード受付手段と、
前記検索ワード受付手段により受け付けられた検索ワードに対応すると共に前記検索結果ページ上における表示位置が特定された複数の広告枠を、該広告枠毎の入札状況と共に前記広告主端末装置に表示させるための入札内容登録ページを生成する入札広告枠表示手段と、
前記広告主端末装置において指定された前記広告枠に対する所定の広告掲載期間毎の入札額を受け付ける入札額受付手段と、
広告主を特定するための情報、前記検索ワード、前記広告枠、前記広告掲載期間、前記入札額及び前記広告コンテンツを関連付けて、該入札額が受け付けられる毎に入札情報として逐次記憶する記憶手段と、
前記ユーザ端末装置から送信されてきた検索ワードを受け付けた際に、前記記憶手段を参照し、前記検索ワードに関連付けられている広告枠を抽出する広告枠抽出手段と、
前記ユーザ端末装置から送信されてきた検索ワードを受け付けた時点において、前記広告枠抽出手段により抽出された広告枠毎に、前記記憶手段に記憶されている入札情報から、該時点が前記広告掲載期間内である入札情報を抽出し、該抽出された入札情報に含まれる入札額のうち最高入札額の入札額により該広告枠が落札されたことを決定する落札決定手段と、
前記落札決定手段により落札が決定される広告枠に関連付けられている広告コンテンツを、前記検索結果ページ生成手段により前記検索結果ページに加える広告コンテンツとして抽出する広告抽出手段とを有し、前記入札広告枠表示手段は、それぞれの広告枠について、前記記憶手段に記憶されている入札額に基づいて、位置を所定間隔ずつずらしながら入札情報を重ねて表示し、入札操作中の広告主の入札情報は、他の広告主の入札情報と識別可能に表示されることを特徴とする広告サーバ装置。
【手続補正２】
【補正対象書類名】特許請求の範囲
【補正対象項目名】請求項９
【補正方法】変更
【補正の内容】
【請求項９】
請求項１〜８のうちいずれか記載の広告サーバ装置において、
前記入札内容登録ページは、前記検索ワードに対応する複数の広告枠を、前記広告主により指定可能に表示する入札広告枠表示ページと、該入札広告枠表示ページから該広告主により指定された該広告枠について、該広告枠に対する入札額を入力するための入札額入力ページとを含み、
前記入札広告枠表示手段は、前記入札広告枠表示ページ上で前記広告枠がクリック操作されることにより該広告枠が指定され、該指定された広告枠に対する前記入札額入力ページを表示させるように、前記入札内容登録ページを生成することを特徴とする広告サーバ装置。
【手続補正３】
【補正対象書類名】特許請求の範囲
【補正対象項目名】請求項１７
【補正方法】変更
【補正の内容】
【請求項１７】
ネットワークを介してユーザ端末装置から送信されてきた検索ワードに応じて、該検索ワードに関連する広告コンテンツを加えた検索結果ページを生成する検索結果ページ生成ステップと、該検索結果ページを該ユーザ端末装置に送信する検索結果提供ステップとを備えた広告表示方法であって、
前記広告主端末装置から送信されてきた検索ワードを受け付ける検索ワード受付ステップと、
前記検索ワード受付ステップにより受け付けられた検索ワードに対応すると共に前記検索結果ページ上における表示位置が特定された複数の広告枠を、該広告枠毎の入札状況と共に前記広告主端末装置に表示させるための入札内容登録ページを生成する入札広告枠表示ステップと、
前記広告主端末装置において指定された前記広告枠に対する所定の広告掲載期間毎の入札額を受け付ける入札額受付ステップと、
広告主を特定するための情報、前記検索ワード、前記広告枠、前記広告掲載期間、前記入札額及び前記広告コンテンツを関連付けて、該入札額が受け付けられる毎に入札情報として逐次記憶手段に記憶させる記憶ステップと、
前記ユーザ端末装置から送信されてきた検索ワードを受け付けた際に、前記記憶手段を参照し、前記検索ワードに関連付けられている広告枠を抽出する広告枠抽出ステップと、
前記ユーザ端末装置から送信されてきた検索ワードを受け付けた時点において、前記広告枠抽出ステップにより抽出された広告枠毎に、前記記憶手段に記憶されている入札情報から、該時点が前記広告掲載期間内である入札情報を抽出し、該抽出された入札情報に含まれる入札額のうち最高入札額の入札額により該広告枠が落札されたことを決定する落札決定ステップと、
前記落札決定ステップにより落札が決定される広告枠に関連付けられている広告コンテンツを、前記検索結果ページに加える広告コンテンツとして抽出する広告抽出ステップとを備え、前記入札広告枠表示ステップは、それぞれの広告枠について、前記記憶手段に記憶されている入札額に基づいて、位置を所定間隔ずつずらしながら入札情報を重ねて表示し、入札操作中の広告主の入札情報は、他の広告主の入札情報と識別可能に表示されることを特徴とする広告表示方法。
【手続補正４】
【補正対象書類名】特許請求の範囲
【補正対象項目名】請求項１８
【補正方法】変更
【補正の内容】
【請求項１８】
ネットワークを介してユーザ端末装置から送信されてきた検索ワードに応じて、該検索ワードに関連する広告コンテンツを加えた検索結果ページを生成する検索結果ページ生成処理と、該検索結果ページを該ユーザ端末装置に送信する検索結果提供処理とをコンピュータに実行させる広告サーバプログラムであって、
前記広告主端末装置から送信されてきた検索ワードを受け付ける検索ワード受付処理と、
前記検索ワード受付処理により受け付けられた検索ワードに対応すると共に前記検索結果ページ上における表示位置が特定された複数の広告枠を、該広告枠毎の入札状況と共に前記広告主端末装置に表示させるための入札内容登録ページを生成する入札広告枠表示処理と、
前記広告主端末装置において指定された前記広告枠に対する所定の広告掲載期間毎の入札額を受け付ける入札額受付処理と、
広告主を特定するための情報、前記検索ワード、前記広告枠、前記広告掲載期間、前記入札額及び前記広告コンテンツを関連付けて、該入札額が受け付けられる毎に入札情報として逐次記憶手段に記憶させる記憶処理と、
前記ユーザ端末装置から送信されてきた検索ワードを受け付けた際に、前記記憶手段を参照し、前記検索ワードに関連付けられている広告枠を抽出する広告枠抽出処理と、
前記ユーザ端末装置から送信されてきた検索ワードを受け付けた時点において、前記広告枠抽出処理により抽出された広告枠毎に、前記記憶手段に記憶されている入札情報から、該時点が前記広告掲載期間内である入札情報を抽出し、該抽出された入札情報に含まれる入札額のうち最高入札額の入札額により該広告枠が落札されていることを決定する落札決定処理と、
前記落札決定処理により落札が決定される広告枠に関連付けられている広告コンテンツを、前記検索結果ページに加える広告コンテンツとして抽出する広告抽出処理とを前記コンピュータに実行させる機能を有し、前記入札広告枠表示処理は、それぞれの広告枠について、前記記憶手段に記憶されている入札額に基づいて、位置を所定間隔ずつずらしながら入札情報を重ねて表示し、入札操作中の広告主の入札情報は、他の広告主の入札情報と識別可能に表示されることを特徴とする広告サーバプログラム。
【手続補正５】
【補正対象書類名】明細書
【補正対象項目名】００１３
【補正方法】変更
【補正の内容】
【００１３】
そして、前記広告サーバ装置は、前記広告主端末装置から送信されてきた検索ワードを受け付ける検索ワード受付手段と、前記検索ワード受付手段により受け付けられた検索ワードに対応すると共に前記検索結果ページ上における表示位置が特定された複数の広告枠を、該広告枠毎の入札状況と共に前記広告主端末装置に表示させるための入札内容登録ページを生成する入札広告枠表示手段と、前記広告主端末装置において指定された前記広告枠に対する所定の広告掲載期間毎の入札額を受け付ける入札額受付手段と、広告主を特定するための情報、前記検索ワード、前記広告枠、前記広告掲載期間、前記入札額及び前記広告コンテンツを関連付けて、該入札額が受け付けられる毎に入札情報として逐次記憶する記憶手段と、前記ユーザ端末装置から送信されてきた検索ワードを受け付けた際に、前記記憶手段を参照し、前記検索ワードに関連付けられている広告枠を抽出する広告枠抽出手段と、前記ユーザ端末装置から送信されてきた検索ワードを受け付けた時点において、前記広告枠抽出手段により抽出された広告枠毎に、前記記憶手段に記憶されている入札情報から、該時点が前記広告掲載期間内である入札情報を抽出し、該抽出された入札情報に含まれる入札額のうち最高入札額の入札額により該広告枠が落札されたことを決定する落札決定手段と、前記落札決定手段により落札が決定される広告枠に関連付けられている広告コンテンツを、前記検索結果ページに加える広告コンテンツとして抽出する広告抽出手段とを有し、前記入札広告枠表示手段は、それぞれの広告枠について、前記記憶手段に記憶されている入札額に基づいて、位置を所定間隔ずつずらしながら入札情報を重ねて表示し、入札操作中の広告主の入札情報は、他の広告主の入札情報と識別可能に表示されることを特徴とする。
【手続補正６】
【補正対象書類名】明細書
【補正対象項目名】００１４
【補正方法】変更
【補正の内容】
【００１４】
本発明の広告サーバ装置では、広告主端末装置から送信されてきた検索ワードに対応して、検索結果ページで表示される複数の広告枠を、広告主により広告掲載期間毎に入札可能に設けることができる。これらの広告枠は、その表示位置を任意に設けることができるので、広告主の多様な要望に応えることが可能である。そして、広告主は、広告枠毎に広告掲載期間を指定して入札して所望の位置及び所望の数の広告枠を落札することが可能であり、要望に合致した態様で検索結果ページに広告を表示させることができる。
【手続補正７】
【補正対象書類名】明細書
【補正対象項目名】００１７
【補正方法】変更
【補正の内容】
【００１７】
さらに、入札額受付手段により入札額が受け付けられる毎に、入札額等の入札情報が記憶手段に逐次記憶される。よって、入札額の入力の時点では、現在の入札額を上回る金額である必要はなく、受け付けられた入札額が全て記憶されていく。そして、ユーザ端末装置から送信されてきた検索ワードを受け付けた際に、広告枠抽出手段により広告枠が抽出され、この抽出された広告枠毎に、落札決定手段は、該検索ワードを受け付けた時点が広告掲載期間内である入札情報を抽出し、該抽出された入札情報に含まれる入札額のうち最高入札額の入札額により該広告枠が落札されたことを決定する。これにより、ユーザが検索した時点における入札状況を反映して落札が決定される。
【手続補正８】
【補正対象書類名】明細書
【補正対象項目名】００３５
【補正方法】変更
【補正の内容】
【００３５】
この場合、広告主は、入札広告枠表示ページ上で広告枠をクリックすることにより広告枠を指定して入札額入力ページに表示させ、該広告枠に対する入札額を入力することができるので、所望の広告枠を容易に指定して入札することができる。
【手続補正９】
【補正対象書類名】明細書
【補正対象項目名】００５２
【補正方法】変更
【補正の内容】
【００５２】
そして、本発明の広告表示方法は、前記広告主端末装置から送信されてきた検索ワードを受け付ける検索ワード受付ステップと、前記検索ワード受付ステップにより受け付けられた検索ワードに対応すると共に前記検索結果ページ上における表示位置が特定された複数の広告枠を、該広告枠毎の入札状況と共に前記広告主端末装置に表示させるための入札内容登録ページを生成する入札広告枠表示ステップと、前記広告主端末装置において指定された前記広告枠に対する所定の広告掲載期間毎の入札額を受け付ける入札額受付ステップと、広告主を特定するための情報、前記検索ワード、前記広告枠、前記広告掲載期間、前記入札額及び前記広告コンテンツを関連付けて、該入札額が受け付けられる毎に入札情報として逐次記憶手段に記憶させる記憶ステップと、前記ユーザ端末装置から送信されてきた検索ワードを受け付けた際に、前記記憶手段を参照し、前記検索ワードに関連付けられている広告枠を抽出する広告枠抽出ステップと、前記ユーザ端末装置から送信されてきた検索ワードを受け付けた時点において、前記広告枠抽出ステップにより抽出された広告枠毎に、前記記憶手段に記憶されている入札情報から、該時点が前記広告掲載期間内である入札情報を抽出し、該抽出された入札情報に含まれる入札額のうち最高入札額の入札額により該広告枠が落札されたことを決定する落札決定ステップと、前記落札決定ステップにより落札が決定される広告枠に関連付けられている広告コンテンツを、前記検索結果ページ生成ステップで前記検索結果ページに加える広告コンテンツとして抽出する広告抽出ステップとを有し、前記入札広告枠表示ステップは、それぞれの広告枠について、前記記憶手段に記憶されている入札額に基づいて、位置を所定間隔ずつずらしながら入札情報を重ねて表示し、入札操作中の広告主の入札情報は、他の広告主の入札情報と識別可能に表示されることを特徴とする。
【手続補正１０】
【補正対象書類名】明細書
【補正対象項目名】００５４
【補正方法】変更
【補正の内容】
【００５４】
次に、本発明の広告サーバプログラムは、ネットワークを介してユーザ端末装置から送信されてきた検索ワードに応じて、該検索ワードに関連する広告コンテンツを加えた検索結果ページを生成する検索結果ページ生成処理と、該検索結果ページを該ユーザ端末装置に送信する検索結果提供処理とをコンピュータに実行させる。
【手続補正１１】
【補正対象書類名】明細書
【補正対象項目名】００５５
【補正方法】変更
【補正の内容】
【００５５】
そして、本発明の広告サーバプログラムは、前記広告主端末装置から送信されてきた検索ワードを受け付ける検索ワード受付処理と、前記検索ワード受付処理により受け付けられた検索ワードに対応すると共に前記検索結果ページ上における表示位置が特定された複数の広告枠を、該広告枠毎の入札状況と共に前記広告主端末装置に表示させるための入札内容登録ページを生成する入札広告枠表示処理と、前記広告主端末装置において指定された前記広告枠に対する所定の広告掲載期間毎の入札額を受け付ける入札額受付処理と、広告主を特定するための情報、前記検索ワード、前記広告枠、前記広告掲載期間、前記入札額及び前記広告コンテンツを関連付けて、該入札額が受け付けられる毎に入札情報として逐次記憶手段に記憶させる記憶処理と、前記ユーザ端末装置から送信されてきた検索ワードを受け付けた際に、前記記憶手段を参照し、前記検索ワードに関連付けられている広告枠を抽出する広告枠抽出処理と、前記ユーザ端末装置から送信されてきた検索ワードを受け付けた時点において、前記広告枠抽出処理により抽出された広告枠毎に、前記記憶手段に記憶されている入札情報から、該時点が前記広告掲載期間内である入札情報を抽出し、該抽出された入札情報に含まれる入札額のうち最高入札額の入札額により該広告枠が落札されたことを決定する落札決定処理と、前記落札決定処理により落札が決定される広告枠に関連付けられている広告コンテンツを、前記検索結果ページ生成処理で前記検索結果ページに加える広告コンテンツとして抽出する広告抽出処理とを前記コンピュータに実行させる機能を有し、前記入札広告枠表示処理は、それぞれの広告枠について、前記記憶手段に記憶されている入札額に基づいて、位置を所定間隔ずつずらしながら入札情報を重ねて表示し、入札操作中の広告主の入札情報は、他の広告主の入札情報と識別可能に表示されることを特徴とする。
【手続補正１２】
【補正対象書類名】明細書
【補正対象項目名】００６９
【補正方法】変更
【補正の内容】
【００６９】
このページデータベース２０に記憶されている情報には、広告枠に関する情報が含まれる。広告枠は、検索結果ページ（図３１参照）において、検索ワードに対応付けられた広告が表示される枠である。各広告枠には、それぞれ１つの広告コンテンツが表示され得る。また、広告主は、検索ワード毎に広告枠を指定して入札することが可能である。広告枠に関する情報は、具体的には、例えば、後述の図１５に示すようなＣ−１，Ｒ−１等の広告枠を示す番号に対応した、検索結果ページ上の所定の位置や大きさ等のレイアウトで広告コンテンツを表示するためのＨＴＭＬデータ等である。
【手続補正１３】
【補正対象書類名】明細書
【補正対象項目名】００８３
【補正方法】変更
【補正の内容】
【００８３】
課金データベース２５には、広告の掲載に対する課金金額等の課金に関する情報が、広告主ＩＤに対応付けられて記憶されている。具体的には、課金データベース２５には、図６に示すように、例えば、広告主ＩＤ、口座番号、カテゴリ、キーワード、広告枠、広告の表示に対する単価、クリック数、及び課金金額等が登録されている。単価としては、例えば入札額が用いられる。また、課金金額としては、例えば単価にクリック数を乗じた値が用いられる。
【手続補正１４】
【補正対象書類名】明細書
【補正対象項目名】００８４
【補正方法】変更
【補正の内容】
【００８４】
さらに、記憶部１２には、検索手段５が被検索対象として用いるサイトに関する情報のデータベースが構築されている。また、記憶部１２には、所定のオペレーティングシステムの他、ＨＴＴＰプロトコルを用いて、ユーザ端末装置２−ｋや広告主端末装置３−ｋから送信された要求に応じて、当該記憶部１２に記憶されている各種のデータに基づきウェブページを生成し、当該ウェブページをユーザ端末装置２−ｋや広告主端末装置３−ｋ等に送信するためのＷＷＷ（World Wide Web）サーバプログラムや、その他、検索手段５、検索結果ページ生成手段６ａ、及び検索結果提供手段６ｂの機能を実現するための各種のプログラムが記憶されている。
【手続補正１５】
【補正対象書類名】明細書
【補正対象項目名】００８８
【補正方法】変更
【補正の内容】
【００８８】
入札広告枠表示手段３４により表示される入札内容登録・変更・確認ページ５００（本発明の入札内容登録ページ）は、具体的には、後述する図１５に示すように、広告管理サイトにログインした広告主から広告主端末装置３−ｋを介して検索ワードが送信された際に、検索ワードに対応する複数の広告枠を、広告主により指定可能に表示する広告枠表示・指定ページ５２０（本発明の入札広告枠表示ページ）と、後述する図１６に示すように、広告枠表示・指定ページ５２０から広告主により指定された広告枠について、該広告枠に対する入札額を入力するための入札ページ５３０（本発明の入札額入力ページ）とを含む。なお、広告枠表示・指定ページ５２０、入札ページ５３０については詳細を後述する。
【手続補正１６】
【補正対象書類名】明細書
【補正対象項目名】００９０
【補正方法】変更
【補正の内容】
【００９０】
広告枠抽出手段３６は、ユーザ端末装置２−ｋから送信されてきた検索ワードを受け付けた際に、記憶部１２を参照し、検索ワードに関連付けられている広告枠を抽出する。具体的には、広告枠抽出手段３６は、ユーザ端末装置２−ｋから任意の検索ワードによって検索が行われた際に、入札データベース２４を参照して、当該検索ワードに関連付けられている広告枠を抽出する。
【手続補正１７】
【補正対象書類名】明細書
【補正対象項目名】０１０３
【補正方法】変更
【補正の内容】
【０１０３】
図１０に示すように、会員情報確認ページ３１０は、会員情報表示エリア３１１、「確認」ボタン３１２、「再入力」ボタン３１３により構成されている。会員情報表示エリア３１１には、会員情報登録・確認・変更ページ３００で表示・入力された内容がそれぞれ表示される。「確認」ボタン３１２が広告主により選択されると、会員情報確認ページ３１０に表示されている内容が広告主に関する情報として会員情報データベース２２に登録される。また、「再入力」ボタン３１３が選択されると、会員情報登録・確認・変更ページ３００に遷移する。
【手続補正１８】
【補正対象書類名】明細書
【補正対象項目名】０１０７
【補正方法】変更
【補正の内容】
【０１０７】
メニュー選択エリア２０１には、各種の情報を登録・変更・確認等するためのページに遷移するためのリンクが表示される。ここで、会員情報登録・確認・変更リンクを選択すると、図９に示す会員情報登録・確認・変更ページ３００に遷移する。また、広告コンテンツ登録・確認・変更リンクを選択すると、図１２に示す広告コンテンツ登録・確認・変更ページ４００に遷移する。また、入札内容登録・確認・変更リンクを選択すると、図１３に示す入札内容登録・確認・変更ページ５００のトップページであるキーワード選択・入力ページに５１０遷移する。また、課金状況確認リンクを選択すると、図３４に示す課金状況確認ページ６００に遷移する。
【手続補正１９】
【補正対象書類名】明細書
【補正対象項目名】０１１５
【補正方法】変更
【補正の内容】
【０１１５】
図１２に示すように、広告コンテンツ登録・確認・変更ページ４００は、コンテンツＩＤ選択エリア４０１、見出し選択・入力エリア４０２、ＵＲＬ表示入力エリア４０３、テキスト表示入力エリア４０４、画像ファイル参照エリア４０５、登録ボタン４０６、戻るボタン４０７により構成されている。
【手続補正２０】
【補正対象書類名】明細書
【補正対象項目名】０１２７
【補正方法】変更
【補正の内容】
【０１２７】
また、図２６に、図１３のキーワード選択・入力ページ５１０で、キーワード選択・入力エリア５１１の入力ボックスに、広告主が未登録のキーワードを直接入力した状態の画面表示例を示す。すなわち、誰も入札していないキーワードを作成して入札を行う場合である。このように、広告主は、キーワード選択・入力エリア５１１の入力ボックスにキーワードを自由に入力できる。なお、入力したキーワードの登録の有無は、入札状況確認ボタン５１２を選択して入札広告枠表示・指定ページ５４０に遷移して入札状況を確認するか、当該入力したキーワードを検索ワードとして検索ページ７００から検索処理を行い検索結果ページ８００を確認することで把握できる。
【手続補正２１】
【補正対象書類名】明細書
【補正対象項目名】０１３０
【補正方法】変更
【補正の内容】
【０１３０】
広告枠群表示・指定エリア５２３には、選択したキーワードについて、広告主が入札できる複数の（この画面表示例では６つの）広告枠Ｃ−１，Ｃ−２，Ｃ−３，Ｒ−１，Ｒ−２，Ｒ−３が表示される。本実施形態では、広告枠毎に入札を受け付けるので、広告枠を複数準備することにより、同一広告主が全ての広告枠を落札することができる。例えば、短期的に集中して広告を出したい場合、現在の入札額を上回る入札を行うことにより全ての広告枠において同一または関連する広告を表示させることができる。
【手続補正２２】
【補正対象書類名】明細書
【補正対象項目名】０１４７
【補正方法】変更
【補正の内容】
【０１４７】
最大クリック数入力エリア５３８ｂには、最大クリック数を入力するための入力フォームが表示され、最大課金金額入力エリア５３９ｂには、最大課金金額を入力するための入力フォームが表示される。また、クリック数上限チェックボックス５３８ａが広告主によりチェックされると、クリック数上限フラグが１に設定され、課金金額上限チェックボックス５３９ａが広告主によりチェックされると、課金金額上限フラグが１に設定される。
【手続補正２３】
【補正対象書類名】明細書
【補正対象項目名】０１５０
【補正方法】変更
【補正の内容】
【０１５０】
さらに、図２０に、図１６〜図１８に示すようにＡ社から入札が行なわれた後において、Ｂ社が広告主としてログインし、キーワード「保険」に対して広告枠「Ｒ−１」を指定して入札する場合の、入札操作前の入札ページ５３０の画面表示例を示す。図２０に示すように、Ｂ社の入札情報は、入札状況表示カレンダー５３３ａの上から１段目と３段目となっている。そして、入札状況表示カレンダー５３３ａに基づいて、Ｂ社が広告掲載を希望していた期間１６日〜２０日において、他の広告主（Ａ社）の５円の入札（上から２段目）が、Ｂ社の４円の入札（上から３段目）の上位となっていることが、視覚的に容易に把握できる。
【手続補正２４】
【補正対象書類名】明細書
【補正対象項目名】０１５５
【補正方法】変更
【補正の内容】
【０１５５】
一方、図２４に、図１５の入札広告枠表示・指定ページ５２０において、Ａ社が中央下段の広告枠C−３を指定して遷移した場合の入札ページ５３０の入札操作前の画面表示例を示す。すなわち、誰も入札していない広告枠に入札を行う場合である。この場合、入札ページ５３０の入札状況表示カレンダー５３３ａには、Ａ社の空のレコードのみが表示される。また、入札金額入力エリア５３４には、デフォルト値として１円が表示される。
【手続補正２５】
【補正対象書類名】明細書
【補正対象項目名】０１６０
【補正方法】変更
【補正の内容】
【０１６０】
また、図２５に、図２４の入札ページ５３０において、入札ボタンが選択されて遷移した場合の入札内容確認ページ５４０の画面表示例を示す。この場合の入札内容確認ページ５４０では、広告枠群表示エリア５４３に、選択したキーワード「保険」について、入札がある５つの広告枠については、入札データベース２４に記憶されている当該広告枠の各入札情報が、所定数を上限値として、それぞれを認識可能に表示される。また、入札がない１つの広告枠については、枠が破線で示されると共に、枠内に「入札なし」と表示される。これにより、入札した広告枠Ｃ−３について、１番目に自社の入札情報が登録されていることが確認できる。
【手続補正２６】
【補正対象書類名】明細書
【補正対象項目名】０１６４
【補正方法】変更
【補正の内容】
【０１６４】
次に、図３１，図３３を参照して、ユーザ端末装置２−ｋに提供される検索結果ページ８００のページ構成について説明する。図３１は、図３０の検索ページ７００で検索ワードとして「保険」が入力され検索ボタン７０２が選択されて遷移した場合の検索結果ページ８００の画像例を示す。検索結果ページ８００は、検索ワードに基づいた検索結果、入札情報、広告コンテンツに関する情報を用いて生成される。また、この検索結果ページ８００は、例えば、検索ページ７００で検索ワードを入力して検索ボタン７０２を選択した場合に遷移するページである。
【手続補正２７】
【補正対象書類名】明細書
【補正対象項目名】０１９２
【補正方法】変更
【補正の内容】
【０１９２】
次に、広告コンテンツ登録・確認・変更処理について、図３６に示すフローチャートに従って説明する。当該処理は、例えば、広告主端末装置３−１の画面に表示されているマイページ２００で、ログイン中の広告主により広告コンテンツ登録・確認・変更リンクが選択されることにより開始される。
【手続補正２８】
【補正対象書類名】明細書
【補正対象項目名】０１９４
【補正方法】変更
【補正の内容】
【０１９４】
次に、広告主端末装置３−１において、広告サーバ装置１から送信された広告コンテンツ登録・確認・変更ページ４００が受信され（ＳＴＥＰ２６）、画面に表示される（ＳＴＥＰ２７）。これにより、広告主端末装置３−１の画面表示がマイページ２００から図１２に例示するような広告コンテンツ登録・確認・変更ページ４００に遷移する。次に、広告主端末装置３−１において、広告主により広告コンテンツ登録・確認・変更ページ４００に入力された内容が受け付けられる（ＳＴＥＰ２８）。次に、広告主端末装置３−１において、広告コンテンツ登録・確認・変更ページ４００で登録ボタン４０６が選択されたことを契機に、入力された内容が広告コンテンツに関する情報として広告サーバ装置１に送信される（ＳＴＥＰ２９）。
【手続補正２９】
【補正対象書類名】明細書
【補正対象項目名】０２０５
【補正方法】変更
【補正の内容】
【０２０５】
次に、広告主端末装置３−１において、広告サーバ装置１から送信された入札ページ５３０が受信され（ＳＴＥＰ６２）、画面に表示される（ＳＴＥＰ６３）。これにより、広告主端末装置３−１の画面表示が入札広告枠表示・指定ページ５２０から図１６，図２０，図２２，図２４，図２８に例示されるような入札ページ５３０に遷移する。次に、広告主端末装置３−１において、広告主により入札ページ５３０に入力された入札金額等の内容が受け付けられて（ＳＴＥＰ６４）、入力された情報が入札情報として広告サーバ装置１に送信される（ＳＴＥＰ６５）。
【手続補正３０】
【補正対象書類名】明細書
【補正対象項目名】０２０６
【補正方法】変更
【補正の内容】
【０２０６】
次に、広告サーバ装置１は、広告主端末装置３−１から送信された入札情報を受信する（ＳＴＥＰ６６）。次に、広告サーバ装置１は、受信されたキーワード、広告枠の指定情報、及び入札情報と、ページに関する情報とに基づいて、入札内容確認ページ５４０を生成し（ＳＴＥＰ６７）、広告主端末装置３−１に送信する（ＳＴＥＰ６８）。
【手続補正３１】
【補正対象書類名】明細書
【補正対象項目名】０２２３
【補正方法】変更
【補正の内容】
【０２２３】
次に、広告サーバ装置１は、掲載を休止するか否かを判断する（ＳＴＥＰ１０６）。具体的には、クリック数上限フラグが１で、且つクリック数が最大クリック数以上である場合、或いは、課金金額上限フラグが１で、且つ課金金額が最大課金金額以上である場合には、掲載を休止すると判断する。これ以外の場合には、掲載を休止しないと判断する。ＳＴＥＰ１０６の判断結果がＮＯの場合には、広告サーバ装置１における処理はそのまま終了される。
【手続補正３２】
【補正対象書類名】明細書
【補正対象項目名】０２２８
【補正方法】変更
【補正の内容】
【０２２８】
【図１】本発明の実施形態による広告表示システムのシステム構成図。
【図２】図１の広告表示システムの広告サーバ装置の構成を示す機能ブロック図。
【図３】図２の広告サーバ装置の記憶部の会員情報データベースに登録される情報を示す図。
【図４】図２の広告サーバ装置の記憶部のコンテンツデータベースに登録される情報を示す図。
【図５】図２の広告サーバ装置の記憶部の入札データベースに登録される情報を示す図。
【図６】図２の広告サーバ装置の記憶部の課金データベースに登録される情報を示す図。
【図７】図２の広告サーバ装置による広告主端末装置の画面遷移図。
【図８】図２の広告サーバ装置による広告主端末装置の会員ログインページの画面表示例。
【図９】図２の広告サーバ装置による広告主端末装置の会員情報登録・確認・変更ページの画面表示例。
【図１０】図２の広告サーバ装置による広告主端末装置の会員情報確認ページの画面表示例。
【図１１】図２の広告サーバ装置による広告主端末装置のマイページの画面表示例。
【図１２】図２の広告サーバ装置による広告主端末装置のコンテンツ登録・確認・変更ページの画面表示例。
【図１３】図２の広告サーバ装置による広告主端末装置のキーワード選択・入力ページの画面表示例。
【図１４】図２の広告サーバ装置による広告主端末装置のキーワード選択・入力ページのプルダウンした状態の画面表示例。
【図１５】図１４のキーワード選択・入力ページから遷移した場合における入札広告枠表示・指定ページの画面表示例。
【図１６】図１５の入札広告枠表示・指定ページから遷移した場合における入札ページの画面表示例。
【図１７】図１６の入札ページの入札操作中の画面表示例。
【図１８】図１６の入札ページの入札操作後の画面表示例。
【図１９】図１８の入札ページから遷移した入札内容確認ページの画面表示例。
【図２０】図２の広告サーバ装置による広告主端末装置の入札ページの第２の画面表示例。
【図２１】図２０の入札ページの入札操作中の画面表示例。
【図２２】図２の広告サーバ装置による広告主端末装置の入札ページの第３の画面表示例。
【図２３】図２２の入札ページの入札操作中の画面表示例。
【図２４】図２の広告サーバ装置による広告主端末装置の入札ページの第４の画面表示例。
【図２５】図２４の入札ページから遷移した場合の入札内容確認ページの画面表示例。
【図２６】図１３のキーワード選択・入力ページで、キーワード選択・入力エリアの入力ボックスに、広告主が未登録のキーワードを直接入力した状態の画面表示例。
【図２７】図２６の入札ページから遷移した入札広告枠表示・指定ページの画面表示例。
【図２８】図２７の入札広告枠表示・指定ページから遷移した場合の入札ページの画面表示例。
【図２９】図２８の入札ページから遷移した入札内容確認ページの画面表示例。
【図３０】図１のユーザ端末装置における検索ページの画面表示例。
【図３１】図３０の検索ページから遷移した検索結果ページの画面表示例。
【図３２】図１のユーザ端末装置における検索ページの第２の画面表示例。
【図３３】図３２の検索ページから遷移した検索結果ページの第２の画面表示例。
【図３４】図２の広告サーバ装置による広告主端末装置の課金状況確認ページの画面表示例。
【図３５】図２の広告サーバ装置による会員情報登録・確認・変更処理のフローチャート。
【図３６】図２の広告サーバ装置によるコンテンツ登録・確認・変更処理のフローチャート。
【図３７】図２の広告サーバ装置による入札内容登録・確認・変更処理のフローチャート。
【図３８】図３７に続く入札内容登録・確認・変更処理のフローチャート。
【図３９】図３８に続く入札内容登録・確認・変更処理のフローチャート。
【図４０】図２の広告サーバ装置による検索処理及び検索結果提供処理のフローチャート。
【図４１】図４０に続く課金決定処理のフローチャート。
【手続補正３３】
【補正対象書類名】図面
【補正対象項目名】図１１
【補正方法】変更
【補正の内容】
【図１１】
2008287443.tif 000001
【手続補正３４】
【補正対象書類名】図面
【補正対象項目名】図４１
【補正方法】変更
【補正の内容】
【図４１】
2008287443.tif 000002